(57)【要約】【解決手段】複数のデータ信号のひとつ以上に対応する複合信号及び該複合信号の選択された部分の捕捉を制御するためのトリガー信号を与えるべく、前記複数のデータ信号を選択的に結合するためのスイッチング及び制御回路を含む装置が与えられる。【選択図】図３Ａ
2009540683.tif 000002
【特許請求の範囲】
【請求項１】
複数のデータ信号のひとつ以上に対応する複合信号及び該複合信号の選択された部分の捕捉を制御するためのトリガー信号を与えるべく、前記複数のデータ信号を選択的に結合するためのスイッチング及び制御回路を含む装置であって、
前記複数のデータ信号のひとつ以上を伝送しかつ前記複数のデータ信号のひとつ以上のそれぞれのマグニチュードを示すひとつ以上の検出信号を与えることにより、アサートされ及びデアサートされたそれぞれの制御信号状態を有する複数の制御信号及び複数のデータ信号に応答する信号経路及び検出回路と、
前記信号経路及び検出回路に接続され、対応する複合信号を与えることにより、伝送されたひとつ以上の前記複数のデータ信号に応答する信号結合回路と、
前記信号経路及び検出回路に接続され、前記複数のデータ信号のひとつ以上のそれぞれのマグニチュード及びアサートされ及びデアサートされたそれぞれの制御信号状態を示すトリガー信号並びに前記複数の制御信号を与えることにより、前記ひとつ以上の検出信号に応答する制御回路と、
を含むことを特徴とする装置。
【請求項２】
前記信号経路及び検出回路は、
前記複数のデータ信号が受信されるところの複数の入力電極と、
前記複数の入力電極のひとつ以上に接続され、前記ひとつ以上の検出信号を与えることにより前記複数のデータ信号のひとつ以上に応答する、ひとつ以上の信号検出回路と、
前記複数の入力電極に接続され、前記複数のデータ信号のひとつ以上を伝送することにより、前記複数のデータ信号及び前記複数の制御信号に応答する複数のスイッチ回路と、
を含むことを特徴とする請求項１記載の装置。
【請求項３】
前記ひとつ以上の信号検出回路はひとつ以上のパワーカップリング回路を含む、
ことを特徴とする請求項２記載の装置。
【請求項４】
前記信号結合回路は信号加算回路を含む、
ことを特徴とする請求項１記載の装置。
【請求項５】
前記制御回路はステートマシン回路を含む、
ことを特徴とする請求項１記載の装置。
【請求項６】
複数のデータ信号のひとつ以上に対応する複合信号及び該複合信号の選択された部分の捕捉を制御するためのトリガー信号を与えるべく、前記複数のデータ信号を選択的に結合するためのスイッチング及び制御回路を含む装置であって、
アサートされ及びデアサートされたそれぞれの制御信号状態を有する複数の制御信号及び複数のデータ信号を受信し、それに応答して前記複数のデータ信号のひとつ以上を伝送し、かつ、前記複数のデータ信号のひとつ以上のそれぞれのマグニチュードを示すひとつ以上の検出信号を与えるための信号ルータ及び検出器手段と、
対応する複合信号を与えるべく伝送されたひとつ以上の前記複数のデータ信号を結合するための信号結合器手段と、
ひとつ以上の検出信号を受信し、それに応答して前記複数のデータ信号のひとつ以上のそれぞれのマグニチュード及びアサートされ及びデアサートされたそれぞれの制御信号状態を示すトリガー信号、並びに前記複数の制御信号を生成するための制御器手段と、
を含むことを特徴とする装置。
【請求項７】
複数のデータ信号のひとつ以上に対応する複合信号及び該複合信号の選択された部分の捕捉を制御するためのトリガー信号を与えるべく、前記複数のデータ信号を選択的に結合するためのスイッチング及び制御回路を含む装置であって、
前記複数のデータ信号のひとつ以上を伝送することにより、アサートされ及びデアサートされた制御信号状態を有する複数の制御信号及び複数のデータ信号に応答する信号経路回路と、
前記信号経路回路に接続され、対応する複合信号を与えることにより伝送されたひとつ以上の前記複数のデータ信号に応答する信号結合回路と、
前記信号結合回路に接続され、前記複合信号のマグニチュードを示す検出信号を与える前記複合信号に応答する信号検出回路と、
前記信号経路回路及び前記信号検出回路に接続され、前記複合信号のマグニチュード及びアサートされ及びデアサートされたそれぞれの制御信号状態を示すトリガー信号並びに前記複数の制御信号を与えることにより、前記検出信号に応答する制御回路と、
を含むことを特徴とする装置。
【請求項８】
前記信号経路回路は複数のスイッチ回路を含む、
ことを特徴とする請求項７記載の装置。
【請求項９】
前記信号結合回路は信号加算回路を含む、
ことを特徴とする請求項７記載の装置。
【請求項１０】
前記信号検出回路はパワーカップリング回路を含む、
ことを特徴とする請求項７記載の装置。
【請求項１１】
前記制御回路はステートマシン回路を含む、
ことを特徴とする請求項７記載の装置。
【請求項１２】
複数のデータ信号のひとつ以上に対応する複合信号及び該複合信号の選択された部分の捕捉を制御するためのトリガー信号を与えるべく、前記複数のデータ信号を選択的に結合するためのスイッチング及び制御回路を含む装置であって、
アサートされ及びデアサートされたそれぞれの制御信号状態を有する複数の制御信号及び複数のデータ信号を受信し、それに応答して前記複数のデータ信号のひとつ以上を伝送するための信号ルータ手段と、
対応する複合信号を与えるべく伝送されたひとつ以上の前記複数のデータ信号を結合するための信号結合器手段と、
前記複合信号のマグニチュードを示す検出信号を与えるべく前記複合信号を検出するための信号検出器手段と、
前記複数の制御信号を与え、かつ、前記検出信号を受信し、それに応答して前記複合信号のマグニチュード及び前記アサートされ及びデアサートされたそれぞれの制御信号状態を示すトリガー信号を与えるための制御器手段と、
を含むことを特徴とする装置。
【発明の詳細な説明】
【技術分野】
【０００１】
本願発明は、デジタルデータ信号中のデータパケットを捕捉するための方法に関し、特に、より単純かつ効率的なデータ解析を与えるために、データ信号の所定部分を捕捉することによりデジタルデータ信号中のデータパケットを捕捉する方法に関する。
【背景技術】
【０００２】
多くの周知かつ著名なデータ通信システムは、続けて送信され、その後受信機内で再構成される多くのデータパケット内にデータが分配されるところのデジタルデータ信号を介して連結され、さまざまな異なる信号経路（例えば、インターネット）に応じて送信される。これらのデータ信号を計測するための従来のテスト装置は、これらのデータパケットを捕捉し、格納し、解析のためにそれを伝送する。しばしば、捕捉されたデータの転送及び解析は、捕捉されたデータを遠隔解析回路（例えば、テスト装置から離れたコンピュータ）に転送する必要があるため、データ信号中から捕捉される処理よりも時間を要する。連続するデータパケットはしばしば近接配置されている。高速で送信されるデータ信号では、特にそうである。したがって、従来のテスト装置は連続するパケットを測定する代わりに、解析または測定に必要な時間間隔だけ離れた非隣接パケットを捕捉する。
【発明の概要】
【発明が解決しようとする課題】
【０００３】
しかし、例えば、ひとつのパケットから他のパケットへのパワー変化を解析するために、連続するパケットを捕捉することがしばしば所望される。従来のテスト装置を使ってこれを実行するためには、データパケットを捕捉するために必要な時間間隔を増やす必要があり、それにより、捕捉ウインドウは、捕捉されかつ解析されることが要求される連続データパケットの数の間隔と等しくなる。しかし、このことは、捕捉メモリと解析エンジンとの間でより多くのデータが転送される必要があるため、捕捉ウインドウの増大はデータ全体の捕捉及び解析動作を遅くするという事実のために不利である。また、多くの通信システムにおいて、データパケットは近接配置されておらず、このことは、捕捉されたデータのほとんどは、それが連続データパケット間のギャップに対応するため、使用されないことを意味している。
【０００４】
さらに、製品テスト環境でしばしば実行されるような、単一のデータ分析エンジンを有する複数入力複数出力（ＭＩＭＯ）システムにおいて、データパケットを捕捉しかつ解析する際の時間効率はより重要となる。周知のように、ＭＩＭＯシステムは並列動作の複数の送信機を使用する。一度にひとつの送信機をテストする場合、システム全体が送信状態でより長く動作を維持されることを要求し、発熱のためにその性能が影響を受ける。これを効果的に避けるため、ひとつの送信機をテストし、装置のパワーを低下させ、オフ状態に安定するまで待機し、次の送信機をテストするために再び装置のパワーを上昇させる必要がある。結果として、全テスト時間が非常に増大する。
【課題を解決するための手段】
【０００５】
本発明に従い、複数のデータ信号のひとつ以上に対応する複合信号及び該複合信号の選択された部分の捕捉を制御するためのトリガー信号を与えるべく、複数のデータ信号を選択的に結合するためのスイッチング及び制御回路が与えられる。
【０００６】
本発明のひとつの態様に従い、複数のデータ信号のひとつ以上に対応する複合信号及び該複合信号の選択された部分の捕捉を制御するためのトリガー信号を与えるべく、複数のデータ信号を選択的に結合するためのスイッチング及び制御回路は、信号経路及び検出回路、信号結合回路、及び制御回路を含む。信号経路及び検出回路は、複数のデータ信号のひとつ以上を伝送し、かつ、複数のデータ信号のひとつ以上のそれぞれのマグニチュードを示すひとつ以上の検出信号を与えることにより、アサートされ及びデアサートされたそれぞれの制御信号状態を有する複数の制御信号及び複数のデータ信号に応答する。信号結合回路は、信号経路及び検出回路に接続され、対応する複合信号を与えることにより伝送された複数のデータ信号のひとつ以上に応答する。制御信号回路は信号経路及び検出回路に接続され、複数のデータ信号のひとつ以上のそれぞれのマグニチュード及びアサートされ及びデアサートされたそれぞれの制御信号状態を示すトリガー信号並びに複数の制御信号を与えることにより、ひとつ以上の検出信号に応答する。
【０００７】
本発明の他の態様において、複数のデータ信号のひとつ以上に対応する複合信号及び該複合信号の選択された部分の捕捉を制御するためのトリガー信号を与えるべく、複数のデータ信号を選択的に結合するためのスイッチング及び制御回路は、信号ルータ及び検出手段、信号結合器手段、及び制御器手段を含む。信号ルータ及び検出器手段は、アサートされ及びデアサートされたそれぞれの制御信号状態を有する複数の制御信号及び複数のデータ信号を受信し、それに応答して複数のデータ信号のひとつ以上を伝送しかつ複数のデータ信号のひとつ以上のそれぞれのマグニチュードを示すひとつ以上の検出信号を与える。信号結合器手段は、対応する複合信号を与えるべく複数のデータ信号の伝送されたひとつ以上を結合する。制御器手段はひとつ以上の検出信号を受信し、それに応答して複数のデータ信号のひとつ以上のそれぞれのマグニチュード及びアサート及びデアサートされたそれぞれの制御信号状態を示すトリガー信号並びに複数の制御信号を生成する。
【０００８】
本発明の他の態様に従い、複数のデータ信号のひとつ以上に対応する複合信号及び該複合信号の選択された部分の捕捉を制御するためのトリガー信号を与えるべく、複数のデータ信号を選択的に結合するためのスイッチング及び制御回路は、信号経路回路、信号結合回路、信号検出回路及び制御回路を含む。信号経路回路は、複数のデータ信号のひとつ以上を伝送することによりアサートされ及びデアサートされたそれぞれの制御信号状態を有する複数の制御信号及び複数のデータ信号に応答する。信号結合回路は信号経路回路に接続され、対応する複合信号を与えることにより伝送されたひとつ以上の複数のデータ信号に応答する。信号検出回路は信号結合回路に接続され、複合信号のマグニチュードを示す検出信号を与える複合信号に応答する。制御回路は信号経路回路及び信号検出回路に接続され、複合信号のマグニチュード及びアサート及びデアサートされたそれぞれの制御信号状態を示すトリガー信号並びに複数の制御信号を与えることにより検出回路に応答する。
【０００９】
本発明の他の態様に従い、複数のデータ信号のひとつ以上に対応する複合信号及び該複合信号の選択された部分の捕捉を制御するためのトリガー信号を与えるべく、複数のデータ信号を選択的に結合するためのスイッチング及び制御回路は、信号ルータ手段、信号結合器手段、信号検出器手段及び制御器手段を含む。信号ルータ手段はアサートされ及びデアサートされたそれぞれの制御信号状態を有する複数の制御信号及び複数のデータ信号を受信し、それに応答して複数のデータ信号のひとつ以上を伝送する。信号結合器手段は、対応する複合信号を与えるべく伝送されたひとつ以上の複数のデータ信号を結合する。信号検出器手段は複合信号のマグニチュードを示す検出信号を与えるべく複合信号を検出する。制御器手段は複数の制御信号を与えかつ検出信号を受信し、それに応答して複合信号のマグニチュードを示すトリガー信号並びにアサート及びデアサートされたそれぞれの制御信号状態を与える。
【図面の簡単な説明】
【００１０】
【図１】図１は、データパケットを捕捉しかつ解析する従来の方法を示す。
【図２】図２は、データパケットを捕捉しかつ解析する他の従来の方法を示す。
【図３Ａ】図３Ａは、本発明のひとつの実施形態に従う、解析用にデータパケットを捕捉する方法を示す。
【図３Ｂ】図３Ｂは、本発明に従う方法が実施されるところのテスト装置のブロック図である。
【図４】図４は、本発明の他の実施形態に従う、解析用データパケットを捕捉する方法を示す。
【図５】図５Ａ及び図５Ｂは、本発明の他の実施形態に従う、解析用にデータパケットを捕捉するための信号スイッチング回路のブロック図である。
【図６】図６は、図５Ａ及び図５Ｂの回路を使って、解析用にデータパケットを捕捉する方法を示す。
【図７】図７は、図５Ａ及び図５Ｂの回路を使って、解析用にデータパケットを捕捉する他の方法を示す。
【図８】図８Ａ及び図８Ｂは、図５Ａ及び図５Ｂの回路を使って、解析用にデータパケットを捕捉する付加的な方法を示す。
【発明を実施するための形態】
【００１１】
以下、図面を参照して本発明の実施形態を詳細に説明する。この説明は例示に過ぎず、本発明の態様を制限することを意図したものではない。この実施形態は当業者が実施可能であるように十分に説明されたものであり、本発明の思想及び態様から離れることなく修正された他の実施形態も可能であることは言うまでもない。
【００１２】
本発明の開示を通じて、明らかに文脈に反する場合を除き、記述した個々の回路要素は単一または複数のいずれでもよい。例えば、用語“回路”は単一のコンポーネントまたは複数のコンポーネントのいずれも含み、それは能動的及び／または受動的であり、かつ、説明する機能を与えるために接続しまたはひとつに結合（ＩＣチップのように）されてもよい。付加的に、用語“信号”は、ひとつ以上の電流、ひとつ以上の電圧、またはデータ信号をいう。図面において、同一または関連した要素は同一または関連したアルファベット、数字または英数字を有する。また、本発明は離散的電子回路（好適には、ひとつ以上の集積回路チップ）を使って実施する文脈で説明されるが、この回路の任意の部分の機能は、信号周波数または処理データ速度に依存してひとつ以上の適当にプログラムされたプロセッサを使って実施されてもよい。
【００１３】
図１を参照して、典型的に従来のテスト装置は信号をトリガーし、このトリガー事象に続いてデータパケットを捕捉する。データが捕捉されかつメモリ内に格納された後、一般にそれはテスト装置中の別個の解析回路、または結果を解析し表示するためのパーソナルコンピュータのような遠隔解析回路へ転送される。例えば、信号ソース、すなわちテスト中の装置（ＤＵＴ）から受信された一連のデータパケット１０１〜１０８に対して、典型的に捕捉インターバル１２０の間隔は実質的に信号データパケットの間隔に等しい。捕捉されたデータパケットはインターバル１３０の間にテスト装置の解析部分へ転送され、インターバル１４０の間に解析されかつ表示される。転送インターバル１３０に続いてシステムがさらなるデータ捕捉を行うことは可能であるが、インターバル１４０により示されるように、一般に他のデータ捕捉が始まる前にデータ有効性テストが要求される。たとえこの遅延１４０が必要でない場合でも、次のデータ捕捉インターバル１２１は解析インターバル１４０が完了するまでは開始できず、それにより近接した連続データパケットの捕捉が妨げられる。したがって、これらの必要な遅延により、離隔され、不連続なデータパケット１０１、１０５を捕捉することのみが可能となる。データパケット１１１、１１２、１１３のように、データパケットがもっと離隔されれば、捕捉されるパケット間で失われるパケットはより少なくなる。
【００１４】
また、捕捉インターバル１２０、転送インターバル１３０、及び解析インターバル１４０は必ずしもスケールされて示されておらず、データ転送インターバル１３０はしばしば捕捉されるデータパケットの間隔より有意に長い。これは、帯域幅が大きいシステムに対して言える。例えば、非常に高いデータサンプリング比率が必要とされる場合、比較的短いデータパケットをサンプリングする時でも大量のデータを収集することが要求される。その場合、解析されるべきすべてのデータパケットに対して、パケットは時間的に広く離隔され、それにより装置はＤＵＴが通常動作しないところのモードでテストのために動作する。
【００１５】
さらに、システム動作の短期間の変化を解析するために、連続データパケットを捕捉することがしばしば所望される。したがって、データ捕捉インターバルを増加させることが必要となる。付加的に、性能特性を決定するために、テストデータの統計的解析を使用することは製品テスト環境においてしばしば所望される。連続データパケットを有することは、信号パワーがしばしば可変であるところの符号分割多元接続（ＣＤＭＡ）のパワー制御動作のようなシステム変化の解析を容易にする。無線信号通信の他の形式において同様のパワー制御方法が使用される。データ送信の品質は実際の信号送信パワーに依存しているため（例えば、送信機内での信号圧縮はしばしば送信信号の品質に影響を及ぼす）、捕捉されたデータパケットを解析する前に解析中のパワーがその最大または最小レベルにあるかどうかを知ることがしばしば所望される。
【００１６】
図２を参照して、連続データパケット２０１、２０２、２０３、２０４を捕捉しかつ解析するための従来の装置は、所望のデータパケットを含むインターバルにわたるよう増加したデータ捕捉インターバル２２０に依存する。したがって、捕捉されたデータの量は捕捉されたデータパケットに介在する時間間隔またはそれによりデータパケットが分離されるところのギャップを足したものと等しい量だけ増加する。結果として、転送インターバル２３０もまた有意に増加する。
【００１７】
データパケット２１１、２１２、２１３がより大きく離隔される例において、データ捕捉インターバル２５０は、転送インターバル（図示せず）と同様に対応する有意な量だけ増加し、それによりテスト装置の動作が有意に遅くなるばかりか、内部の捕捉データメモリの必要量が増加することによりテスト装置のコストが増加する。
【００１８】
図３Ａを参照して、本発明のひとつの実施形態に従い、各データ捕捉に対する単一トリガーを使用せずに、多くのプログラム可能なトリガー事象がデータパケットを捕捉するために使用される。例えば、狭く離隔されたデータパケット３０１〜３０８に関して、トリガーシーケンスはデータ捕捉インターバル３２１〜３２４の間に４つの連続パケット３０１〜３０４を捕捉するようプログラム可能である。好適には各捕捉インターバル３２１〜３２４の間隔は、対応するデータパケット３０１〜３０４の間隔と等しい。有利にこれは、実際のデータパケット３０１〜３０４の間の時間インターバルに関連する空データの捕捉を効果的に避けることにより、４つのデータパケットを一緒にパックする。したがって、捕捉されたデータに対する転送時間３３０が短縮する。入力データパケットが到着する間の時間インターバル全体に関して、捕捉データ転送時間３３０のこの短縮は、入力データパケット３１１〜３１３がさらに離隔されるに従い有意に改善される。言い換えれば、データパケット３１１〜３１３の間の時間インターバルのより長い間隔にも拘わらず、対応する近接したデータパケット３０１〜３０４と等しい間隔を有するデータパケット３１１〜３１３に対して、データ捕捉インターバル３２１〜３２４はデータ転送インターバル３３０と同様に同じままである（これは、図示しない入力データパケット３１４の捕捉を含む）。しかし、入力データパケット３１１〜３１４に対して到着までに必要な全時間に関して、データ転送インターバル３３０は有意に減少する。入力データパケットが近接するか離隔するかとは無関係に、いずれにしても、データ転送時間は最適化され、入力データパケットのストリームに対する時間インターバルと独立に維持される。
【００１９】
図３Ｂを参照して、本発明のひとつの実施形態に従う、解析用にデータパケットを捕捉するためのシステム３６０は、入力データストリーム３６１を捕捉するためのデータ捕捉回路３６２（例えば、サンプル・アンド・ホールド回路及びアナログ・デジタル信号変換回路）を含む。捕捉されたデータ３６３はメモリ３６４内に格納される。制御回路３６６は制御信号３６６ａ、３６６ｂを介して、捕捉回路３６２及びメモリ３６４を制御する。捕捉されたデータ３６５はメモリ３６４から検索され、周知のような、テスト装置内部または外部のコンピュータ内の解析回路３６８（例えば、マイクロプロセッサ及び関連するサポート回路）へ転送される。データ解析の結果３６７は、ユーザによりディスプレイ３７０で見ることができる。通常動作において、テストに必要な時間を最小化することが所望されるため、データパケットは製品テスト用に典型的に使用されるものより長い時間インターバルだけ離される傾向がある。しかし、これは通常使用中の回路動作を真に示していないテスト結果を生じさせる。これをアドレスするひとつの方法は、入力データパケット３０１〜３０４の到着に必要な時間インターバルに関して、データ転送３３０及びデータ解析３４０インターバルをさらに減少させることである。
【００２０】
多くの例において、各データパケットの全部を捕捉する必要はない。例えば、IEEE802.11a無線データ標準において、送信品質は最低１６個のデータ記号にわたって測定されなければならないことが明記されている。データパケットは概して１６個の記号より長いが、この標準に従ってテストを実行するには各パケットのうち１６個の記号を捕捉するのみでよい。付加的に、その標準に従う直交周波数分割多重（ＯＦＤＭ）信号のパワーを測定する。データパケットの連続記号（例えば、典型的にパケット中の８〜１６マイクロ秒）を測定することによりＲＭＳパワーが計測され、それにより、各データパケットの１６マイクロ秒のみがパワー測定用に捕捉されることが要求される。
【００２１】
図４を参照して、これは、対応するデータ捕捉インターバル４２１〜４２４の間に入力データパケット４０１〜４０４の選択された部分４１１〜４１４を捕捉することにより実行される。このようにして捕捉時間を減少させることにより、４つの連続データパケット４２１〜４２４に対する捕捉されたデータの量は減少し、特に、この捕捉されたデータがデータ転送インターバル４３０の前に連続的にパックされる場合には顕著となる。同様に、データ解析インターバル４４０もまた減少する。
【００２２】
他に、捕捉されたデータ４２１〜４２４に加え、小さいデータセパレータパケット４７１〜４７４が捕捉されたデータの対応する部分に従って導入されてよい。装置は捕捉されたデータの各部分４２１〜４２４の始点または終点をより容易に識別するため、これは続くデータの解析を単純化する効果を有する。この結果として送信されるべき付加的オーバーヘッドデータは、データセパレータパケット４７１〜４７４のサイズに依存する。
【００２３】
また他に、データセパレータパケット４２１〜４２４を導入する替わりに、例えば、捕捉されたデータの少なくとも有意なビットまたはセパレートデータビットとして、捕捉されたデータはマーカー信号により復号化されてもよい。これはデータセパレータパケット４７１〜４７２によりそれ以外に導入される付加的なオーバーヘッドデータを減少または除去する。
【００２４】
制限されたデータ捕捉時間を使用する他の利点は、複数のデータパケットの捕捉に関する。例えば、複数のデータパケットを捕捉する際、ストリーム内の各データパケットは異なっても良い。複数のデータパケットを捕捉することは、単一の捕捉シーケンスにおいて、使用されたデータパケットのひとつの種類の捕捉を与える。有利なことに、単一周波数に対するすべての結果が単一のデータ捕捉シーケンスで得られるため、これはテスト時間を減少させる。また、捕捉されたデータの解析は各パケットに対するデータを減少させることにより、最長の要求されたデータ捕捉と等しくなるように最適化される。例えば、パケットを生成するのに使用されるドライバがパケットあたりの固定データ量を使用するため、複数のデータパケットの送信は、データ速度が低下するに従い、時間間隔が長くなって送信される異なる長さのパケットを生じさせる。しかし、たとえ時間間隔が長くなっても、所定の捕捉時間、例えば、IEEE802.11a OFDM標準に基づく装置に対して最初の１６個の記号のみが使用されればよい。記号速度は一定のままであるが、実施を単純化するために通常使用されるように、この記号に使用される変調はデータ速度を変更する。各データパケットに対して固定した捕捉時間を使用することは、複数のデータパケットの解析を有意に改善する。
【００２５】
上記したように、各データパケットの開始を装置がトリガーすることが仮定されてきた。しかし、各データパケット内の後の時点でデータ捕捉を開始するようにトリガーに所定の遅延が導入されてもよい。例えば、IEEE802.11aOFDM信号において、データパケット内で８から１６マイクロ秒でデータを捕捉しようとする場合、データ捕捉のトリガーを遅延させるのに８マイクロ秒の遅延が導入される。
【００２６】
MIMOシステムの複数の送信機をテストする際、データパケットが並列で捕捉されかつ解析されるように、複数の並列な受信機を使用することが所望される。しかし、並列受信機を有するテスト装置は製品テストのためにコスト抑制される。並列試験の要求に対するひとつの変形は、ここに参考文献として組み込む“Method for Simultaneous Testing of Multiple Orthogonal Frequency Division Multiplexed Transmitters with Single Vector Signal Analyzer”と題する、２００５年９月２３日出願の米国仮特許出願第６０／５９６，４４４号に提案されているような複合信号解析を使用することである。この複合解析は信号パワー複合機を通じて複数の送信信号を単一の信号に複合することに関し、その結果単一の受信機が複合信号を解析するのに使用可能となる。
【００２７】
このような複合信号解析技術は、解析中の信号の起点を決定するために、送信機間のカップリングが識別されまたは解析されるところの方法を必要とする。付加的に、解析中のパケット中のデータが既知であることが重要である。これは製品テスト環境においてより単純に実行されるが、それでもなおそれは送信機用の特別のドライバを必要とする。
【００２８】
本発明の他の実施形態に従い、この問題は、個々の送信機の信号が解析用に分離されるところの信号スイッチング回路を導入することによりアドレス可能である。これは送信機間のカップリングのテストを可能にし、カップリングが有意ではないところの例において、個々の送信機からの個々の送信データパケットに対するエラーベクトルマグニチュード（ＥＶＭ）測定を与える。しかし、ひとつの送信機からひとつ以上のデータパケットを捕捉した後、切替えが他の送信機からの信号の送信を与えるように、ある遅延が導入されるため、スイッチング回路を単純に導入することはテスト時間に影響を与えやすい。製品テスト環境に応じて、この遅延は大きくてもよい。
【００２９】
図５Ａ及び図５Ｂを参照して、この遅延に関連するテストの問題は、図示されたスイッチング回路の一方または両方を使って最小化されまたは回避可能である。これらの例は３つの送信機入力５０１、５０２、５０３の間の切替えを与えるが、これらの実施例は付加的な入力信号を扱うように拡張可能であることは言うまでもない。この回路は、それぞれの信号スイッチ５２１、５２２、５２３を通じて受信された、さまざま入力信号５０１、５０２、５０３を、テスト装置に送られる単一信号５４０に混合するためのパワー混合機５３０を含む。これらの信号スイッチ５２１、５２２、５２３は周知であり、信号周波数及びデータ速度に関して、速いスイッチング時間を有する。また、この信号スイッチ５２１、５２２、５２３は好適には固体スイッチであり、送信機（図示せず）とパワー混合機５３０の間に所望の隔離を与え、また、パワー混合機５３０が異なる入力信号を合算することができるように適当な終端インピーダンスを与えるべく、必要に応じて、直列または並列の複数のスイッチとして実行可能である。
【００３０】
図５Ａを参照して、この実施例は、入力信号５０１、５０２、５０３のパワーを検出するための信号検出器５１１、５１２、５１３を含み、検出されたパワー信号が制御回路５５０に与えられる。該制御回路５５０は、入力信号スイッチ５２１、５２２、５２３に対して制御信号を与える。これにより、制御回路５５０は各入力端子において、例えば、パワー検出信号により指示されたパワーの量に基づいて信号の存在を決定することができる。これらのパワー指示信号及びスイッチ５２１、５２２、５２３の既知の状態（例えば、開または閉）に基づいて、制御回路５５０は、例えば、制御回路５５０内部のプログラム可能なステートマシンに基づいてトリガー信号を生成し、パワー混合機５３０の出力信号５４０内で受信されたデータパケットのテスト装置による捕捉を制御する。
【００３１】
他に、最初に受信された信号５０１に対して、第１信号パワー検出器５１１のような信号検出器が使用されても良い。同様の方法ですべてのＤＵＴ送信機が同時に動作している状態で、最初の受信された信号５０１のデータパケットの到着の信号検出器５１１による検出は、残りの受信信号５０２、５０３内のデータパケットの到着も指示する。
【００３２】
図５Ｂを参照して、本発明の他の実施形態に従い、パワー混合機５３０の出力信号５４０のパワーを検出するために、複数の入力パワー検出器５１１、５１２、５１３の代わりに、単一のパワー検出器５１４が使用される。制御回路５５０は入力スイッチ５２１、５２２、５２３の状態を知り、それによりパワー混合機５３０を通じていずれの入力信号５０１、５０２、５０３が出力信号５４０を与えているのかを決定する。
【００３３】
それぞれの実施例は異なるが、図５Ａ及び図５Ｂの両方の回路は、テスト中の信号の各データパケット間の時間インターバルの間に既知のシーケンスの入力信号５０１、５０２、５０３を切替える能力を与える。したがって、切替えは、ひとつのデータパケット、複数のデータパケット、または所望の量のデータパケットが捕捉された後（例えば、３２個記号パケットの所望の最初の１６個記号が捕捉された後）に生じる。
【００３４】
図６を参照して、この装置のひとつの動作方法はデータパケット６０１〜６０８のストリームの送信を含み、３つの送信機の各々はデータストリーム６０１ａ〜６０８ａ、６０１ｂ〜６０８ｂ、６０１ｃ〜６０８ｃを送信する。制御回路５５０（図５Ａ及び図５Ｂ）は第１送信機出力６０１ａを選択し、続いて第２送信機出力６０２ｂ、及び第３送信機出力６０３ｃを選択する。その後、複合信号に混合される３つの送信機６０４ａ、６０４ｂ、６０４ｃの出力の選択が続く。上記したように、実際の捕捉中のデータ量を最小化するために複数のトリガーが使用される。例えば、データ捕捉インターバル６２１、６２２、６２３、６２４は、個々のデータパケット６０１ａ、６０２ｂ、６０３ｃの所望の量を捕捉し、データパケット６０４ａ、６０４ｂ、６０４ｃの和が必要である限りにおいて必要とされる。上記したように、このデータは混合され（例えば、捕捉データ６２１〜６２４のシーケンスにパックされ）、転送インターバル６３０中に転送され、解析インターバル６４０中に解析される。制御回路５５０により生成される３つの信号スイッチ５２１、５２２、５２３に対するスイッチ制御信号６５１、６５２、６５３も示されている。
【００３５】
他に、データパケットの一部の捕捉がテスト装置自身により内部的に制御される代わりに、制御回路５５０により与えられるトリガー信号６６０が使用されても良い。これはＭＩＭＯシステムをテストする場合のような、複数の入力信号が関連する場合には有利である。このトリガー信号６６０は、データパケット捕捉インターバル６２１、６２２、６２３、６２４（例えば、高い信号レベルがデータ捕捉インターバルに対応する場合）を識別する。信号６７０の最後の曲がった部分がトリガーシーケンスの付加的終端を同定し、それによりテスト装置はデータパケットの捕捉を終了し、転送インターバル６３０中にデータ転送を開始する。他に、データ転送インターバル６３０は、所望の量のデータパケット（この例では４つのデータパケット）の捕捉に続いて開始される。
【００３６】
上記したように、制御回路５５０によりデータパケット捕捉のトリガーを制御することが有利である。例えば、ＭＩＭＯシステムをテストする場合、データパケットの順序は制御可能であり、よって最初のパケットが最初の送信機からのものであり、第２のパケットが第２の送信機からのものであり、第３のパケットが第３の送信機からのものであり、最後の捕捉されたデータがすべての送信機からの混合信号であることが保証される。典型的にテスト装置内部の受信機回路は、遅延（パイプラインを通過する）がデータの捕捉を開始するのにアナログトリガー信号に必要な時間より有意に長いところのパイプライン設計を有する高速アナログ・デジタル変換器を使用するため、このトリガー信号によりデータ捕捉を制御することは任意の遅延の問題を生じさせない。トリガー信号がデジタル方式で導出される場合、単純なメモリまたは信号の履歴を格納するためのバッファ回路が適正なタイミングを保証するのに使用される。
【００３７】
図７を参照して、トリガー７６０を生成するための制御回路５５０の他の使用は、各データパケット７０１ａ、７０２ｂ、７０３ｃの小さい部分７１１、７１２、７１３の捕捉を含み、混合されたデータパケット７０４ａ、７０４ｂ、７０４ｃのより大きい部分７１４をさらに捕捉する。これは、異なる送信機により送信されたパケットの第１部分のＥＶＭを測定するのに十分なデータ捕捉を与え、同時に、混合された第４のデータパケット７０４ａ、７０４ｂ、７０４ｃの場合に十分なデータ捕捉が可能であるようより長いデータパケットを維持し、正確なスペクトルマスク測定を与える。結果として、捕捉されたデータ７２１、７２２、７２３、７２４は、転送インターバル７３０の間に転送用にパックされる場合、有利に短くなる。制御回路５５０は異なるスイッチを制御するため、個々のデータパケット７０１ａ、７０２ｂ、７０３ｃの部分７１１、７１２、７１３の捕捉が異なる（例えば、混合されたデータパケット７０４ａ、７０４ｂ、７０４ｃの部分７１４を捕捉するために必要なインターバルより短い）ように、捕捉インターバルの間隔を制御するよう容易にプログラム可能である。
【００３８】
適切な種類のパケットが送信されているときをテスト装置は知らないため、ＭＩＭＯシステムをテストする際、データ捕捉の時間間隔を各スイッチの状態（オン及びオフ）と同期させるための外部ハードウエアを使用することが必要である。しかし、信号送信機をテストしている際に、テスト装置内にこの種の同期を導入することは可能である。例えば、IEEE802.11aOFDM信号に対して複数のパワー測定を実行し、続いてスペクトルマスク測定を実行することが所望される。上記したように、パワー測定は６．４マイクロ秒、例えば、１６マイクロ秒データパケットプリアンブルの始点から８．８マイクロ秒後に始まりかつ終点前の０．８マイクロ秒で終わる２つの連続する３．２マイクロ秒インターバルのみが必要であるが、スペクトルマスク測定は妥当なパワー平均を与えるためにより長い捕捉インターバルを要求する。いずれにせよ、このタイミング同期は周知技術の多くの方法で実行可能である。
【００３９】
スイッチ回路（図５Ａ及び図５Ｂ）に関して上記したように、複合信号をテストする際に送信機間の分離をテストするのは困難である。この複合信号のテストは個々の送信機からのパワーのテストを可能にするが、信号混合機の使用は概して測定中のパワーの起点を同定するのを困難にする。パワー混合機の入力へスイッチを付加することにより、スイッチ内部の分離がテスト中のカップリングレベルより良い限りにおいて、カップリングを測定することが可能となる。
【００４０】
図８Ａを参照して、ＭＩＭＯシステムをテストする際に上記したデータパケットテスト技術を使った方法が以下に説明される。第１データパケット８０１の送信中に、第１送信機からのパケット８０１ａがパワー混合機５３０へ運ばれる（図５Ａ及び５Ｂ）。同様に、第２データパケット８０２及び第３データパケット８０３の送信中に、第２送信機及び第３送信機からのデータパケット８０２ｂ、８０３ｃはパワー混合機５３０へ運ばれる。適当なスイッチの設定は、３つのスイッチ制御信号８５１、８５２、８５３を使って達成される。データパケット８０１ａ、８０２ｂ、８０３ｃの所望の部分８１１、８１２、８１３の捕捉は、トリガー制御信号８６０に従って時間インターバル８２１、８２２、８２３の間に実行される。
【００４１】
第１インターバル８２１中に獲得されたデータパケット信号は第１送信機にのみ基づくパワーを含む。パワーカップリングがデータパケットの始めに現れるハイスループット・ロングトレーニングシーケンス（ＨＴ−ＬＴＳ）での混合測定方法により測定されるため、この捕捉インターバルは比較的短い。第２の捕捉インターバル８２２の間、捕捉された信号は第２送信機からの一次パワーのみでなく、第１送信機データパケット８０２ａからＤＵＴ内の第２送信機へのカップリングによる付加的パワーも含む。上記した米国仮特許出願第６０／５９６４４４号に記載したようなパワー分析及び混合測定技術を使って、第１送信機データパケット８０２ａに基づくパワーが決定される。同様に、第３データパケット８０３ｃの捕捉に続くそのデータ捕捉インターバル８２３中に、第１送信データパケット８０３ａに基づくパワーも決定される。また同様に、第２データ捕捉インターバル８２２に続く第１送信機データパケット８０２ａ及び第３送信機データパケット８０２ｃに基づくパワーと、第１データ捕捉インターバル８２１の間に、第２送信機データパケット８０１ｂ及び第３送信機データパケット８０１ｃに基づくパワーカップリングが決定される。したがって、所望の送信機に基づく送信機パワーは、他の送信機からの寄与とともに決定される。
【００４２】
図７に戻って、送信機間のカップリングが決定されるため、データ信号送信特性に関する所望の情報は最初の３つのデータ信号捕捉インターバル７２１、７２２、７２３の間に得られる。最後のデータ捕捉インターバル７２４は、上記した米国仮特許出願に記載されるような複合ＥＶＭ技術を使って、信号送信品質及び他のパラメータを測定するのに使用される。
【００４３】
図８Ｂを参照して、他の実施例において、捕捉されたパケット８０１、８０４、８０７間の中間パケット８０２、８０３、８０５、８０６がスキップされる。例えば、テスト中の送信機は周波数及びパワーに関して安定していることが必要とされる。これは、データパケットの捕捉を開始する前に測定されるパケットの数を単純にカウントすることにより実行可能である。これは、複数のパケットをテストする際に特に有用である。例えば、キャリブレーションまたは他のテストのために異なるパワーレベルを送信することが所望される。送信機が安定のための時間を要求すれば、第１個数のパケットがひとつのパワーレベルで送信され、それに続いて、パワーレベルが変更され第２個数のパケットが送信される。この場合、次のデータパケット送信のために、パワーレベルが変わる以前のひとつ以上のこのパケットを最後に捕捉する前に、この数の大部分のパケットを送信することが所望される。
【００４４】
本発明の思想及び態様から離れることなく、本発明の装置及び方法に対してさまざまな修正及び変更が可能であることは当業者の知るところである。発明は特定の実施形態について説明されてきたが、本発明はこれらの特定の実施形態に限定されるものではない。以下の特許請求の範囲は本発明の態様を画定し、特許請求の範囲の態様内に含まれる装置及び方法がそれに包含されることは言うまでもない。
【図１】
2009540683.tif 000003
【図２】
2009540683.tif 000004
【図３Ａ】
2009540683.tif 000005
【図３Ｂ】
2009540683.tif 000006
【図４】
2009540683.tif 000007
【図５】
2009540683.tif 000008
【図６】
2009540683.tif 000009
【図７】
2009540683.tif 000010
【図８】
2009540683.tif 000011
【国際調査報告】
2009540683.tif 000012